(57)【要約】【課題】  本文の変更、削除、挿入が可能である本であり、ハードカバーのアルバム等に最適である。【解決手段】  複数の枚数からなる本文を表表紙と裏表紙とで覆った本において、本文を適宜な綴じ具で分離可能に綴じて一つの冊子とするとともに、本文の表と裏とを表表紙と裏表紙とにそれぞれ剥離可能で再接着ができる接着材で接着する。【選択図】  図２
0003166828.tif 000002
【実用新案登録請求の範囲】
【請求項１】
複数の枚数からなる本文を表表紙と裏表紙とで覆った本において、本文を適宜な綴じ具で分離可能に綴じて一つの冊子とするとともに、本文の表と裏とを表表紙と裏表紙とにそれぞれ剥離可能で再接着ができる接着材で接着したことを特徴とする本文のいずれかが取り換え可能な本。
【請求項２】
表表紙及び裏表紙がハードカバーのアルバムである請求項１の本文のいずれかが取り換え可能な本。
【請求項３】
表表紙及び裏表紙の背側を折り線を境にして凹形のポケットに形成し、本文をこのポケット内に収容した請求項２の本文のいずれかが取り換え可能な本。
【請求項４】
表表紙及び裏表紙を樹脂製の透明カバーでカバーした請求項２又は３の本文のいずれかが取り換え可能な本。
【請求項５】
接着材が面ファスナーである請求項１〜４いずれかの本文のいずれかが取り換え可能な本。
【請求項６】
綴じ具が合せネジである請求項１〜５いずれかの本文のいずれかが取り換え可能な本。
【考案の詳細な説明】
【技術分野】
【０００１】
本考案は、本文のいずれかが取り換え可能な本に関するものである。
【背景技術】
【０００２】
周知のとおり、本は表表紙と裏表紙及びこれら表紙内に収容される本文とからなる。これにおいて、下記特許文献１に見られるように、特に、ハードカバーのアルバム等において、本文が取り換え可能になっているものがある。しかし、この先行技術に示されるものは、本文の背を見返し面に直接に剥離糊で貼り付けており、必要なページを剥離して内容を変更し、当該ページや別のページに貼り付けるものである。
【０００３】
これによると、本文の一枚の紙葉も糊が着く程度の厚いものである必要があるし（この点で、アルバム等にしか適用できない）、新たに差し換える本文も剥離糊を塗布するか剥離糊を塗布して剥離紙で覆っておかなければならず、価格の高いものになる。一方、背側のごく一面も剥離糊で接着することも可能であるが、この場合は体裁が悪い上に手間が面倒である。さらに、本文中に新たなページを加えるようなことは原則としてできない。
【先行技術文献】
【特許文献】
【０００４】
【特許文献１】特開２００６−１６１７２５号公報
【考案の概要】
【考案が解決しようとする課題】
【０００５】
本考案は、本文を一つの冊子としてまとめ、これを表及び裏表紙に剥離可能で再接着ができる接着材で接着するようにしたものである。
【課題を解決するための手段】
【０００６】
以上の課題を具現するため、本考案は、請求項１に記載した、複数の枚数からなる本文を表表紙と裏表紙とで覆った本において、本文を適宜な綴じ具で分離可能に綴じて一つの冊子とするとともに、本文の表と裏とを表表紙と裏表紙とにそれぞれ剥離可能で再接着ができる接着材で接着したことを特徴とする本文のいずれかが取り換え可能な本を提供したものである。 
【０００７】
これにおいて、本考案は、請求項２に記載した、表表紙及び裏表紙がハードカバーのアルバムである手段、請求項３に記載した、表表紙及び裏表紙の背側を折り線を境にして凹形のポケットに形成し、本文をこのポケット内に収容した手段、請求項４に記載した、表表紙及び裏表紙を樹脂製の透明カバーでカバーしている手段、請求項５に記載した、接着材が面ファスナーである手段、請求項６に記載した、綴じ具が合せネジである手段を提供する。
【考案の効果】
【０００８】
請求項１の考案によると、本文と表及び裏表紙が完全に分離できるとともに、本文をばらばらにすることが可能である。したがって、本文を外した状態で必要なページや個所を変更、差換え、挿入ができ、幅広い加工ができる上に操作も簡単である。また、請求項５の手段のように剥離糊を使っていないので、一度剥がしても何回でも接着することができる。請求項２、３の手段によると、ハードカバーのアルバム等に最適である。
【図面の簡単な説明】
【０００９】
【図１】本考案に係る本の完成した状態の斜視図である。
【図２】本考案に係る表及び裏表紙と本文との関係を示す斜視図である。
【図３】本考案に係る本文の綴じ具を示す斜視図である。
【図４】本考案に係る透明カバーの斜視図である。
【考案を実施するための形態】
【００１０】
以下、本考案の実施の形態を図面を参照して説明するが、図２等において、この本は、表及び裏表紙（以下、表紙１という）と何枚かの本文２とからなり、表紙１で本文２を挟むものである。本例では、表紙１は硬質で厚紙からなるアルバムや上質本等に用いられるハードカバーを用いており、背側を凹形に形成したポケット３を有している。また、ポケット３の小口側にはハードカバーであるため折り線４を形成し、この部分で容易に折曲できるようにしている。
【００１１】
本文２はポケット３内に収まる厚さを有する複数枚の紙葉で構成され、一つにまとまった冊子となっている。本考案では、この冊子がばらばらになることが条件であり、そのため、本例では、本文の背側に二つの孔５をあけ、この孔に合せネジ６ａ、６ｂを通して固定している。この合せネジ６ａ、６ｂは安全な樹脂製等が好ましいが、木製又は金属製であってもよい。
【００１２】
そして、図１等において、製本するときには、合せネジ６ａ、６ｂで綴じた本文２を表紙１の上記したポケット３に収容するのである。これだけでは、本文２が表紙１から外れるから、本考案では、両方の表紙１の見返しの部分に面ファスナー７を貼り付けておき、本文の表と裏とにもこの面ファスナー７と接着、分離が可能な面ファスナー８を貼り付けておく。したがって、面ファスナー７、８同士を接着すると、一つの本となるが、この場合でも、面ファスナー７、８は、本を開いても外部からは見えない位置やサイズにしておくのが好ましい。
【００１３】
これにおいて、本文２のいずれかを変更しようとするときには、上記面ファスナー７、８を外し、本文２を表紙から切り離す。そして、合せネジ６ａ、６ｂを外して本文２の必要なページを変更や除去したり、必要なページがあれば新たに挿入する。その後に再び合せネジ６ａ、６ｂを螺合して一つの冊子にし、表紙１に収めることになる。このように、本文２の変更等の自由度が高いのが本考案の特徴である。
【００１４】
図４は表紙１を覆う透明カバー９の斜視図であるが、透明な薄い樹脂製のフィルムの両端を二重に折り返して差込部１０とし、この差込部１０に表紙１の小口側を差し込んでカバーとしたものである。こうすることで、体裁もよくなるし、表紙１が汚れるのを防止できる。なお、透明としたのは、表紙１の表面の印刷等を見えるようにするためである。
【００１５】
以上は、本考案の基本的な形態であるが、本考案はこの他に種々の形態をとる。例えば、ハードカバーではなく、ソフトカバーの本であってもよい。また、大きさや厚みは様々なものが可能である。さらに、接着材を面ファスナーによっているが、弱い接着力をもった粘着テープのようなものであってもよい。ただ、ある程度の強度が必要とされるから、面ファスナーが最適である。この他、本文の綴じは合せネジに限るものではなく、紐で綴じたり、ホッチキスで止めるものであってもよい。
【符号の説明】
【００１６】
１      表及び裏表紙
２      本文
３      ポケット
４      折り線
５      本文の孔
６ａ    合せネジ
６ｂ    合せネジ
７      面ファスナー
８      面ファスナー
９      透明カバー
１０    差込部
【図１】
0003166828.tif 000003
【図２】
0003166828.tif 000004
【図３】
0003166828.tif 000005
【図４】
0003166828.tif 000006